(57)【特許請求の範囲】
【請求項１】
窓枠に取り付けられた障子が室外側へ開き、前記障子を窓開閉装置により開閉できる開閉窓であって、
前記窓開閉装置の駆動軸の回転に連動して、前記窓開閉装置の基体に設けられた垂直軸又は水平軸まわりに揺動する第１揺動アームと、
前記窓枠の枠部材に設けられた窓枠側支持部材の第１ガイド長孔により基端部の基端支軸がガイドされて、前記基端部が前記窓枠に対して左右方向又は上下方向にスライド可能に支持され、前記障子の框部材に設けられた框側支持部材のガイド長孔により先端部の先端支軸がガイドされて、前記先端部が前記障子に対して左右方向又は上下方向にスライド可能に支持されるとともに、中間部の中間支軸が前記第１揺動アームの先端部に枢結された第２揺動アームと、
前記框部材の室内面に設けられた被掛止片と、
前記第２揺動アームの前記基端支軸まわりに回転可能に支持され、前記障子を閉じた状態で前記被掛止片を掛止する掛止片と、
前記掛止片の前記基端支軸よりも室内側位置に設けられた操作軸と、
前記窓枠側支持部材の前記第１ガイド長孔よりも室内側位置に設けられた、前記操作軸をガイドする第２ガイド長孔とを備え、
前記障子を開閉する際に、前記第１ガイド長孔により移動経路が規定される前記基端支軸の位置に対する、前記第２ガイド長孔により移動経路が規定される前記操作軸の位置により、前記掛止片の揺動を操作することにより、前記掛止片の前記被掛止片との掛止及びその解除を行うことを特徴とする開閉窓。
【請求項２】
窓枠に取り付けられた障子が室外側へ開く開閉窓において、前記障子を開閉する窓開閉装置であって、
手動又は電動で駆動される駆動軸と、
前記駆動軸の回転に連動して、基体に設けられた垂直軸又は水平軸まわりに揺動する第１揺動アームと、
前記窓枠の枠部材に設けられた窓枠側支持部材の第１ガイド長孔により基端部の基端支軸がガイドされて、前記基端部が前記窓枠に対して左右方向又は上下方向にスライド可能に支持され、前記障子の框部材に設けられた框側支持部材のガイド長孔により先端部の先端支軸がガイドされて、前記先端部が前記障子に対して左右方向又は上下方向にスライド可能に支持されるとともに、中間部の中間支軸が前記第１揺動アームの先端部に枢結された第２揺動アームと、
前記框部材の室内面に設けられた被掛止片と、
前記第２揺動アームの前記基端支軸まわりに回転可能に支持され、前記障子を閉じた状態で前記被掛止片を掛止する掛止片と、
前記掛止片の前記基端支軸よりも室内側位置に設けられた操作軸と、
前記窓枠側支持部材の前記第１ガイド長孔よりも室内側位置に設けられた、前記操作軸をガイドする第２ガイド長孔とを備え、
前記障子を開閉する際に、前記第１ガイド長孔により移動経路が規定される前記基端支軸の位置に対する、前記第２ガイド長孔により移動経路が規定される前記操作軸の位置により、前記掛止片の揺動を操作することにより、前記掛止片の前記被掛止片との掛止及びその解除を行うことを特徴とする窓開閉装置。
【発明の詳細な説明】
【技術分野】
【０００１】
本発明は、障子の開閉操作と、閉操作時における障子のロック及び開操作時における障子のロック解除とを同時に行うことができる、障子が外方へ開く開閉窓、及び開閉窓に用いられる窓開閉装置の改良に関する。
【背景技術】
【０００２】
窓開閉装置による障子の開閉操作と、障子を閉める際における障子のロック及び障子を開ける際における障子のロック解除とを同時に行うことができるすべり出し窓として、窓開閉装置（障子開閉装置）（３）が、下枠部材（１ａ）に設けられた障子開閉用の操作軸（１５）と、下枠部材（１ａ）に垂直軸線の周りに回転自在に設けられ、かつ操作軸（１５）の軸線周りの回転により回転する第１アーム（１７）と、長さの中間部において第１アーム（１７）の先端部に回転自在に連結され、かつ一端部が下枠部材（１ａ）に対して左右方向に移動自在に連結されるとともに、他端部が下かまち（２ａ）に対して左右方向に移動自在に連結された第２アーム（１８）と、第２アーム（１８）における下枠部材（１ａ）への連結側端部に垂直軸線周りに回転自在に設けられかつ閉位置にある障子（２）の係合部材（２１）に係合して障子（２）をロックするロック部材（１９）と、下枠部材（１ａ）に設けられ、ロック部材（１９）に当接してロック部材（１９）を係合方向に回転させる当接ピン（３８）、及びロック部材（１９）を反係合方向に付勢する捩りばね（３９）からなるロック手段とを備えたものがある（特許文献１参照）。
【先行技術文献】
【特許文献】
【０００３】
【特許文献１】特許第３９３２４５０号公報
【発明の概要】
【発明が解決しようとする課題】
【０００４】
特許文献１のようなすべり出し窓の構成によれば、窓開閉装置（障子開閉装置）（３）の操作軸（１５）を回転させることにより、障子（２）を開閉することができ、障子（２）を閉める際には、前記ロック手段である当接ピン（３８）に当接したロック部材（１９）が係合方向に回転して障子（２）の係合部材（２１）に係合するため、障子（２）がロックされる。また、障子（２）を開ける際には、前記ロック手段である捩りばね（３９）の反係合方向への付勢力によりロック部材（１９）が反係合方向に回転して障子（２）の係合部材（２１）との係合が解除されるため、障子（２）のロックが解除される。
よって、窓開閉装置（障子開閉装置）（３）の操作軸（１５）を回す操作だけで、障子（２）の開閉と、障子（２）のロック及びロック解除とを同時に行うことができるので、これらを別個に行う必要があるすべり出し窓と比較して操作が簡単になるという特長がある。
【０００５】
しかしながら、前記ロック手段として、ロック部材（１９）を反係合方向に付勢する捩りばね（３９）を用いているので、障子（２）の開閉操作によって繰り返されるロック及びロック解除に伴い、小さなスペースに組み込まれる捩りばね（３９）に対して繰り返し応力が作用するため、捩りばね（３９）が破断する場合がある。その際にはロック部材（１９）が自由に回転してしまうことからロックができなくなるため、捩りばね（３９）を交換する必要が生じる。このような捩りばね（３９）を交換する作業は手間が掛かることから保守作業コストが増大する。
よって、特許文献１のようなすべり出し窓は前記特長があるものであるが、その前記ロック手段には、耐久性の向上及び保守作業コストの低減という観点からは改良の余地がある。
【０００６】
そこで本発明は、前述の状況に鑑み、障子の開閉操作と、閉操作時における障子のロック及び開操作時における障子のロック解除とを同時に行うことができる開閉窓及び窓開閉装置において、耐久性の向上及び保守作業コストの低減を実現することを目的とする。
【課題を解決するための手段】
【０００７】
本発明に係る開閉窓は、前記課題解決のために、窓枠に取り付けられた障子が室外側へ開き、前記障子を窓開閉装置により開閉できる開閉窓であって、前記窓開閉装置の駆動軸の回転に連動して、前記窓開閉装置の基体に設けられた垂直軸又は水平軸まわりに揺動する第１揺動アームと、前記窓枠の枠部材に設けられた窓枠側支持部材の第１ガイド長孔により基端部の基端支軸がガイドされて、前記基端部が前記窓枠に対して左右方向又は上下方向にスライド可能に支持され、前記障子の框部材に設けられた框側支持部材のガイド長孔により先端部の先端支軸がガイドされて、前記先端部が前記障子に対して左右方向又は上下方向にスライド可能に支持されるとともに、中間部の中間支軸が前記第１揺動アームの先端部に枢結された第２揺動アームと、前記框部材の室内面に設けられた被掛止片と、前記第２揺動アームの前記基端支軸まわりに回転可能に支持され、前記障子を閉じた状態で前記被掛止片を掛止する掛止片と、前記掛止片の前記基端支軸よりも室内側位置に設けられた操作軸と、前記窓枠側支持部材の前記第１ガイド長孔よりも室内側位置に設けられた、前記操作軸をガイドする第２ガイド長孔とを備え、前記障子を開閉する際に、前記第１ガイド長孔により移動経路が規定される前記基端支軸の位置に対する、前記第２ガイド長孔により移動経路が規定される前記操作軸の位置により、前記掛止片の揺動を操作することにより、前記掛止片の前記被掛止片との掛止及びその解除を行うことを特徴とする。
【０００８】
また、本発明に係る窓開閉装置は、前記課題解決のために、窓枠に取り付けられた障子が室外側へ開く開閉窓において、前記障子を開閉する窓開閉装置であって、手動又は電動で駆動される駆動軸と、前記駆動軸の回転に連動して、基体に設けられた垂直軸又は水平軸まわりに揺動する第１揺動アームと、前記窓枠の枠部材に設けられた窓枠側支持部材の第１ガイド長孔により基端部の基端支軸がガイドされて、前記基端部が前記窓枠に対して左右方向又は上下方向にスライド可能に支持され、前記障子の框部材に設けられた框側支持部材のガイド長孔により先端部の先端支軸がガイドされて、前記先端部が前記障子に対して左右方向又は上下方向にスライド可能に支持されるとともに、中間部の中間支軸が前記第１揺動アームの先端部に枢結された第２揺動アームと、前記框部材の室内面に設けられた被掛止片と、前記第２揺動アームの前記基端支軸まわりに回転可能に支持され、前記障子を閉じた状態で前記被掛止片を掛止する掛止片と、前記掛止片の前記基端支軸よりも室内側位置に設けられた操作軸と、前記窓枠側支持部材の前記第１ガイド長孔よりも室内側位置に設けられた、前記操作軸をガイドする第２ガイド長孔とを備え、前記障子を開閉する際に、前記第１ガイド長孔により移動経路が規定される前記基端支軸の位置に対する、前記第２ガイド長孔により移動経路が規定される前記操作軸の位置により、前記掛止片の揺動を操作することにより、前記掛止片の前記被掛止片との掛止及びその解除を行うことを特徴とする。
【発明の効果】
【０００９】
以上の構成の発明に係る開閉窓及び窓開閉装置によれば、
（１）窓開閉装置による障子の開閉操作に連動させて掛止片を揺動させ、閉操作時における障子の被掛止片に対する掛止片の掛止動作、及び開操作時における障子の被掛止片に対する掛止片の掛止解除動作を行うことができるため、操作が簡単になること、
（２）閉操作時における障子の被掛止片に対する掛止片の掛止動作、及び開操作時における障子の被掛止片に対する掛止片の掛止解除動作における掛止片の揺動を、障子を開閉する際に、第１ガイド長孔により移動経路が規定される基端支軸の位置に対する、第２ガイド長孔により移動経路が規定される操作軸の位置により、掛止片の揺動を操作することにより行うので、第２揺動アームの基端支軸まわりに回転可能に支持された掛止片を付勢するための捩りばねが不要になることから、障子の開閉操作を繰り返すことにより従来の構成のように捩りばねが破断することがなく、捩りばねの交換作業も不要になるため、開閉窓及び窓開閉装置の耐久性の向上及び保守作業コストの低減を図ることができること、
等の顕著な効果を奏する。
【図面の簡単な説明】
【００１０】
【図１】本発明の実施の形態に係る開閉窓の障子を開いた状態を示す横断平面図である。
【図２】同じく障子を閉じた状態を示す横断平面図である。
【図３】第２揺動アーム及び窓枠側支持部材まわりの要部を拡大して示す平面図である。
【図４】同じく斜視図である。
【図５】同じく分解斜視図である。
【図６】掛止片を被掛止片に掛止する動作及び前記掛止を解除する動作の説明図である。
【発明を実施するための形態】
【００１１】
次に本発明の実施の形態を添付図面に基づき詳細に説明するが、本発明は、添付図面に示された形態に限定されず特許請求の範囲に記載の要件を満たす実施形態の全てを含むものである。なお、本明細書においては、室内側から室外側へ向かう方向の前側を前、後側を後とし、左右は前方に向かっていうものとする。
【００１２】
図１及び図２の横断平面図に示す本発明の実施の形態に係る開閉窓は、窓枠３に取り付けられた障子４が室外側へ開き、障子４を窓開閉装置２により開閉するものであり、本発明が適用される開閉窓の一例として横すべり出し窓１を示している。
横すべり出し窓１において、障子４は、左右の縦枠と左右の縦框との間に取り付けられた図示しない左右の窓ステーを介して窓枠３により支持される。このように窓ステーを介して窓枠３に取り付けられ、図２のように窓枠３内に組み込まれた障子４は、窓開閉装置２の開操作により図２の状態から図１の状態まで開くことができ、窓開閉装置２の閉操作により図１の状態から図２の状態まで閉じることができる。
【００１３】
図１及び図２の横断平面図、並びに図３の要部拡大平面図、図４の斜視図及び図５の分解斜視図に示すように、本発明の実施の形態に係る窓開閉装置２は、オペレータハンドル１５、オペレータハンドル１５を回転することにより回転する、駆動軸であるウォーム５、ウォーム５により揺動する第１揺動アーム１１、第１揺動アーム１１の揺動により揺動する第２揺動アーム１２、障子４の框部材（本実施の形態では下框）４Ａの室内面に設けられた被掛止片１４、第２揺動アーム１２の基端支軸である段付リベット９Ａまわりに回転可能に支持され、障子４を閉じた状態で被掛止片１４を掛止する掛止片１３等からなる。
ここで、第１揺動アーム１１の基端部１１Ａにはウォーム５に噛合するウォームホイールが形成されているので、ウォーム５の回転に伴って、第１揺動アーム１１は基体２Ａに設けられた垂直軸６まわりに揺動する。
【００１４】
また、第２揺動アーム１２は、窓枠３の枠部材（本実施の形態では下枠）３Ａに設けられた窓枠側支持部材７の左右方向に長い第１ガイド長孔２１により、基端部１２Ａの基端支軸である段付リベット９Ａがガイドされるとともに、障子４の框部材４Ａに設けられた框側支持部材８の左右方向に長いガイド長孔２３により、先端部１２Ｂの先端支軸である段付リベット９Ｂがガイドされる。
よって、第２揺動アーム１２の基端部１２Ａは、窓枠３に対して左右方向にスライド可能に支持され、第２揺動アーム１２の先端部１２Ｂは、障子４に対して左右方向にスライド可能に支持される。
【００１５】
さらに、第２揺動アーム１２の中間部１２Ｃの中間支軸であるスペーサ９Ｃが、第１揺動アーム１１の先端部１１Ｂに枢結される。
さらにまた、掛止片１３の基端支軸である段付リベット９Ａよりも室内側位置には、操作軸である段付リベット１０が取り付けられ、段付リベット１０は、窓枠側支持部材７の第１ガイド長孔２１よりも室内側位置に設けられた左右方向に長い第２ガイド長孔２２によりガイドされる。
よって、障子４を開閉する際に第１ガイド長孔２１により移動経路が規定される基端支軸である段付リベット９Ａの位置に対する、第２ガイド長孔２２により移動経路が規定される操作軸である段付リベット１０の位置（段付リベット９Ａの位置及び段付リベット１０の相対位置）により、段付リベット９Ａ及び１０が取り付けられた掛止片１３の揺動を操作できる。
【００１６】
図３及び図４に示すように、窓枠側支持部材７に形成される第１ガイド長孔２１は、左右方向に長い直線状の直線部２１Ａ、及び直線部２１Ａの左端に繋がって左方へ行くに従って後方へ湾曲する円弧状の湾曲部２１Ｂからなり、窓枠側支持部材７の第１ガイド長孔２１よりも後方に形成される第２ガイド長孔２２は、左右方向に長い直線状である。
また、窓枠側支持部材７は、図４に示す通孔２０Ａ，２０Ｂ，２０Ｃ，２０Ｄを利用して、図１及び図２に示す窓枠３の枠部材３Ａに螺着される。
【００１７】
図５に示すように、基端支軸である段付リベット９Ａを、窓枠側支持部材７の第１ガイド長孔２１、スペーサ１７の通孔１７Ａに下部を内嵌したカラー１６、及び掛止片１３の通孔１３Ａ、並びに、第２揺動アーム１２の基端部１２Ａにある通孔１２ａに挿通して軸端を加締めることにより、段付リベット９Ａが第２揺動アーム１２の基端部１２Ａに取り付けられ、段付リベット９Ａが第１ガイド長孔２１にガイドされるとともに、掛止片１３が段付リベット９Ａまわりに回転可能に支持された状態が保持される。
なお、カラー１６は、段付きリベット９Ａに外嵌されて段付きリベット９Ａに対して回転可能であり、段付きリベット９Ａとともにカラー１６が、第１ガイド長孔２１内を移動するので、第１ガイド長孔２１を形成する周壁部にはカラー１６が接触する。
また、操作軸である段付リベット１０を、窓枠側支持部材７の第２ガイド長孔２２、スペーサ１７の通孔１７Ｂ、及び掛止片１３の通孔１３Ｂに挿通して軸端を加締めることにより、段付リベット１０が第２ガイド長孔２２にガイドされるとともに、段付リベット１０が掛止片１３に取り付けられた状態が保持される。
【００１８】
さらに、中間支軸であるスペーサ９Ｃを、第２揺動アーム１２の中間部１２Ｃにある通孔１２ｃに嵌入し、図１及び図２に示す取付ねじ１９を第１揺動アーム１１の先端部１１Ｂにある通孔に挿通してスペーサ９Ｃの螺孔１８に螺合することにより、第２揺動アーム１２の中間部１２Ｃと第１揺動アーム１１の先端部１１Ｂとを相対的に回転可能に取り付けた状態が保持される。
さらにまた、先端支軸である段付リベット９Ｂを第２揺動アーム１２の先端部１２Ｂにある通孔１２ｂに挿通して軸端を加締めることにより、段付リベット９Ｂが第２揺動アーム１２の先端部１２Ｂに取り付けられる。このように第２揺動アーム１２の先端部１２Ｂに取り付けられた先端支軸である段付リベット９Ｂは、図１及び図２に示す框側支持部材８のガイド長孔２３に挿通され、段付リベット９Ｂがガイド長孔２３にガイドされる。
【００１９】
ここで、窓枠側支持部材７及び框側支持部材８、段付リベット９Ａ、段付リベット９Ｂ、スペーサ９Ｃ及び段付リベット１０、第１揺動アーム１１及び第２揺動アーム１２、掛止片１３及び被掛止片１４、並びにカラー１６は金属製であり、スペーサ１７は合成樹脂製である。
また、図５に示すように、掛止片１３に合成樹脂製のスペーサ１７を被せることにより、金属製の窓枠側支持部材７と金属製の掛止片１３との間に合成樹脂製のスペーサ１７を介在させているので、金属同士が接触しない。
【００２０】
次に、窓開閉装置２による障子４の開閉操作に連動する、窓開閉装置２の閉操作時における障子４の被掛止片１４に対する掛止片１３の掛止動作（障子４をロックする動作）、及び窓開閉装置２の開操作時における障子４の被掛止片１４に対する掛止片１３の掛止解除動作（障子４のロックを解除する動作）について説明する。
【００２１】
（窓開閉装置２の閉操作時における障子４をロックする動作）
窓開閉装置２を閉操作して図１の状態から図２の状態まで障子４を閉じると、第２揺動アーム１２により操作される障子４の移動に伴って、基端支軸である段付リベット９Ａは、図６の動作説明図における（ａ）ないし（ｅ）のように、第１ガイド長孔２１に沿って左方へ、左右方向に長い直線部２１Ａから円弧状の湾曲部２１Ｂ（図３参照）の端部まで移動する。
このように第２揺動アーム１２、及び基端支軸である段付リベット９Ａが移動する際に、操作軸である段付リベット１０は、図６の動作説明図における（ａ）ないし（ｃ）のように、左右方向に長い直線状の第２ガイド長孔２２に沿って左方の端部まで移動し、基端支軸である段付リベット９Ａが（ｃ）ないし（ｅ）まで円弧状の湾曲部２１Ｂを移動する際に、操作軸である段付リベット１０は第２ガイド長孔２２内を移動しない。
よって、図６の動作説明図における（ｃ）ないし（ｅ）の間は、基端支軸である段付リベット９Ａの円弧状の湾曲部２１Ｂに沿う移動に伴い、掛止片１３が操作軸である段付リベット１０を中心として後方へ揺動して被掛止片１４を掛止する。
【００２２】
（窓開閉装置２の開操作時における障子４のロックを解除する動作）
窓開閉装置２を開操作して図２の状態から図１の状態まで障子４を開くと、第２揺動アーム１２により操作される障子４の移動に伴って、基端支軸である段付リベット９Ａは、図６の動作説明図における（ｅ）ないし（ａ）のように、第１ガイド長孔２１に沿って右方へ、円弧状の湾曲部２１Ｂから左右方向に長い直線部２１Ａ（図３参照）の端部まで移動する。
このように第２揺動アーム１２、及び基端支軸である段付リベット９Ａが移動する際に、操作軸である段付リベット１０は、図６の動作説明図における（ｃ）ないし（ａ）のように、左右方向に長い直線状の第２ガイド長孔２２に沿って右方の端部まで移動し、基端支軸である段付リベット９Ａが（ｅ）ないし（ｃ）まで円弧状の湾曲部２１Ｂを移動する際に、操作軸である段付リベット１０は第２ガイド長孔２２内を移動しない。
よって、図６の動作説明図における（ｅ）ないし（ｃ）の間は、基端支軸である段付リベット９Ａの円弧状の湾曲部２１Ｂに沿う移動に伴い、掛止片１３が操作軸である段付リベット１０を中心として前方へ揺動するため、掛止片１３による被掛止片１４の掛止が解除される。
なお、掛止片１３が（ｅ）ないし（ｃ）のように前方へ揺動した状態では、掛止片１３の後端面が窓枠側支持部材７の上下左右方向に延びる板（図４の通孔２０Ａが形成されている板）の前面に当て止めされるので、掛止片１３のこれ以上の揺動が規制される。
【００２３】
以上の窓開閉装置２の閉操作時における障子４をロックする動作、及び窓開閉装置２の開操作時における障子４のロックを解除する動作を行う場合、図６の動作説明図における（ｃ）ないし（ｅ）において、基端支軸である段付リベット９Ａが第１ガイド長孔２１の円弧状の湾曲部２１Ｂに沿って移動しながら掛止片１３が揺動するが、その際に段付きリベット９Ａに対して回転可能なカラー１６（図５参照）が湾曲部２１Ｂ内を移動するので、被掛止片１４に対する掛止片１３の掛止動作時、及び被掛止片１４に対する掛止片１３の掛止解除動作時における操作力を軽減できるため、操作性を向上できる。
その上、掛止片１３には合成樹脂製のスペーサ１７（図５参照）を被せているので、前記のとおり金属同士が接触しないことから操作力を軽減できるため、さらに操作性が向上する。
【００２４】
以上のような構成のすべり出し窓１及び窓開閉装置２によれば、窓開閉装置２による障子４の開閉操作に連動させて掛止片１３を揺動させ、閉操作時における障子４の被掛止片１４に対する掛止片１３の掛止動作（障子４をロックする動作）、及び開操作時における障子４の被掛止片１４に対する掛止片１３の掛止解除動作（障子４のロックを解除する動作）を行うことができるため、操作が簡単になる。
そして、このような掛止動作及び掛止解除動作における掛止片１３の揺動を、障子４を開閉する際に、第１ガイド長孔２１により移動経路が規定される基端支軸（段付リベット９Ａ）の位置に対する、第２ガイド長孔２２により移動経路が規定される操作軸の位置（段付リベット１０）により操作することにより行うので、第２揺動アーム１２の基端支軸（段付リベット９Ａ）まわりに回転可能に支持された掛止片１３を付勢するための捩りばねが不要になるため、障子４の開閉操作を繰り返すことにより従来の構成のように捩りばねが破断することがなく、捩りばねの交換作業も不要になる。
よって、すべり出し窓１及び窓開閉装置２の耐久性の向上及び保守作業コストの低減を図ることができる。
【００２５】
以上の説明においては、窓開閉装置２がオペレータハンドル１５により手動で操作する構成である場合を示したが、駆動軸であるウォーム５を例えばギヤドモータ等のアクチュエータの出力軸と連結する構成等、電動で操作する構成であってもよい。
また、高所に設置した開閉窓及び窓開閉装置に対し、その下方からボールチェーン等により開閉操作をする構成であってもよい。
さらに、窓開閉装置２が適用される開閉窓が横すべり出し窓１である場合を示したが、窓開閉装置２が適用される開閉窓は、縦すべり出し窓、片開き窓又は突出し窓等であってもよく、すなわち、窓枠３に取り付けられた障子４が室外側へ開くのであればよい。
したがって、本発明の窓開閉装置２は、それが適用される開閉窓の構成に応じて、下枠ではなく上枠や縦枠に取り付けられる。
窓開閉装置２が縦枠に取り付けられる場合は、第１揺動アーム１１は、窓開閉装置２の駆動軸の回転に連動して、窓開閉装置２の基体２Ａに設けられた水平軸まわりに揺動する。また、第１揺動アーム１１の基端支軸は、窓枠３の枠部材（縦枠）に設けられた窓枠側支持部材７の第１ガイド長孔２１により上下方向にスライド可能に支持され、第１揺動アーム１１の先端支軸は、障子４の框部材（縦框）に設けられた障子側支持部材８のガイド長孔２３により上下方向にスライド可能に支持される。
【符号の説明】
【００２６】
１  横すべり出し窓（開閉窓）
２  窓開閉装置
２Ａ  基体
３  窓枠
３Ａ  枠部材
４  障子
４Ａ  框部材
５  ウォーム（駆動軸）
６  垂直軸
７  窓枠側支持部材
８  框側支持部材
９Ａ  段付リベット（基端支軸）
９Ｂ  段付リベット（先端支軸）
９Ｃ  スペーサ（中間支軸）
１０  段付リベット（操作軸）
１１  第１揺動アーム
１１Ａ  基端部
１１Ｂ  先端部
１２  第２揺動アーム
１２Ａ  基端部
１２Ｂ  先端部
１２Ｃ  中間部
１２ａ，１２ｂ，１２ｃ  通孔
１３  掛止片
１３Ａ，１３Ｂ  通孔
１４  被掛止片
１５  オペレータハンドル
１６  カラー
１７  スペーサ
１７Ａ，１７Ｂ  通孔
１８  螺孔
１９  取付ねじ
２０Ａ，２０Ｂ，２０Ｃ，２０Ｄ  通孔
２１  第１ガイド長孔
２１Ａ  直線部
２１Ｂ  湾曲部
２２  第２ガイド長孔
２３  ガイド長孔
【図１】
0006361311.tif 000002
【図２】
0006361311.tif 000003
【図３】
0006361311.tif 000004
【図４】
0006361311.tif 000005
【図５】
0006361311.tif 000006
【図６】
0006361311.tif 000007